【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
太陽電池セルと、前記太陽電池セルの受光面側に配置された平板状の受光面側保護部材とを備えた太陽電池モジュールであって、
前記受光面側保護部材は、一方向に延在して溝底の谷部の拡開角度が直角である三角溝を受光面側の表面に備えること、
を特徴とする太陽電池モジュール。
【請求項２】
複数の前記三角溝が並列配置されていること、
を特徴とする請求項１に記載の太陽電池モジュール。
【請求項３】
前記受光面側保護部材の受光面で反射した反射光を反射または吸収して、前記反射光の太陽電池モジュールよりも下方への進行を遮断する反射光遮断部を備えること、
を特徴とする請求項１または２に記載の太陽電池モジュール。
【請求項４】
反射光遮断部は、前記受光面側保護部材の下端部に接続して設けられ、前記受光面側保護部材の受光面で反射した光を水平面よりも上方に向けて反射させる第１反射板であること、
を特徴とする請求項３に記載の太陽電池モジュール。
【請求項５】
反射光遮断部は、前記受光面側保護部材の下端部に接続して設けられ、前記受光面側保護部材の受光面で反射した光を前記太陽電池セルの受光面に入射させる第２反射板であること、
を特徴とする請求項３に記載の太陽電池モジュール。
【請求項６】
前記受光面側保護部材の下端部の上端辺よりも上部の領域に形成された開口部を備えること、
を特徴とする請求項４または５に記載の太陽電池モジュール。
【請求項７】
前記第１反射板における前記受光面側保護部材の受光面側の表面が、光散乱面であることを有すること、
を特徴とする請求項４に記載の太陽電池モジュール。
【請求項８】
前記反射光遮断部は、前記受光面側保護部材の受光面に垂直な領域から外れた領域に、前記受光面側保護部材の下端部から離間して設けられていること、
を特徴とする請求項３に記載の太陽電池モジュール。
【請求項９】
前記反射光遮断部は、前記反射光が入射する反射光入射領域が無反射材料または光吸収する光吸収材料により構成されていること、
を特徴とする請求項８に記載の太陽電池モジュール。
【請求項１０】
前記反射光遮断部は、前記太陽電池モジュールの横方向から前記反射光遮断部に光が直接入射することを防止する遮光板を前記反射光遮断部の前記横方向における両端に備えること、
を特徴とする請求項３に記載の太陽電池モジュール。
【請求項１１】
反射光遮断部は、前記受光面側保護部材の受光面の上方に、前記太陽電池モジュールの上下方向において等間隔で設けられ、前記受光面側保護部材の受光面で反射した光を反射させる第３反射板であること、
を特徴とする請求項３に記載の太陽電池モジュール。
【手続補正２】
【補正対象書類名】明細書
【補正対象項目名】００１７
【補正方法】変更
【補正の内容】
【００１７】
受光面バス電極と裏面バス電極とは、平行に設けられている。受光面バス電極と裏面バス電極とは、接続配線である接続配線１４との接合用の接続電極として用いられる。そして、隣接する２つの太陽電池セル３同士は、一方の太陽電池セル３の受光面バス電極と、他方の太陽電池セル３の裏面バス電極とが接続配線１４によって電気的に直列に接続されている。
【手続補正３】
【補正対象書類名】明細書
【補正対象項目名】００２２
【補正方法】変更
【補正の内容】
【００２２】
つぎに、本実施の形態１にかかる受光面側保護部材１１の特徴について説明する。図３は、屈折率１．５の平板ガラス面に入射する光の入射角度（°）と反射率（％）との関係を示した図である。図３における入射角度（°）は、入射光を平板ガラス面上に投影した場合の、入射光の投影線と入射光とがなす角度である。ガラス表面に入射する光は、光の入射角度が大きく垂直入射に近い場合、反射率は４％ほどとなる。しかし、光の入射角度が小さくなり、入射光の進行方向がガラス表面に対して平行に近づくと反射率は増大する。そして、入射角度が１０°程度まで下がると、反射率は５０％を超える。
【手続補正４】
【補正対象書類名】明細書
【補正対象項目名】００２５
【補正方法】変更
【補正の内容】
【００２５】
受光面側保護部材１１は、縦１４０ｃｍ、横１１０ｃｍ、厚み１０ｃｍの外形寸法を有するガラス板である。なお、太陽電池モジュール１の外形寸法は、受光面側保護部材１１の面方向の外形寸法である。受光面側保護部材１１の受光面、すなわち封止材１３と接触していない側の表面には、１方向、すなわち受光面側保護部材１１の縦方向に延在する縦溝である三角溝３１が形成されている。太陽電池モジュール１の縦方向は、太陽電池モジュール１および受光面側保護部材１１の長手方向と同じ方向であり、上述した太陽電池セル３の既定の配列方向に対応する方向であり、太陽電池モジュール１が設置場所に設置された際に太陽電池モジュール１の上部と下部とを結ぶ方向である。
【手続補正５】
【補正対象書類名】明細書
【補正対象項目名】００３９
【補正方法】変更
【補正の内容】
【００３９】
垂直面でのなす角φ、凹み角ｋを用いて、反射角度ｒおよび反射率Ｒの計算を行うことができる。反射角度ｒは、三角溝３１内で反射されて該三角溝３１内から出射される反射光と、受光面側保護部材１１の面方向とのなす角度である。反射率Ｒは、受光面側保護部材１１の受光面における三角溝３１に入射した光の反射率である。三角溝３１に入射する光の反射の仕方は、以下の（１）から（３）に示す３通りが存在する。そして、各々の場合の反射角度ｒおよび反射率Ｒは、以下の式（２）から式（７）で示される。
【手続補正６】
【補正対象書類名】明細書
【補正対象項目名】００６３
【補正方法】変更
【補正の内容】
【００６３】
特に設置条件２の場合は、上述した垂直面でのなす角φ、すなわち入射光と太陽電池モジュールの表面との角度の範囲が狭くなる冬場においても、日の出および日の入りの時間帯の光の反射が比較的大きく発生する。これは、太陽電池モジュールの設置角度が小さい場合には、どの季節であっても日の出および日の入りの時間帯には光入射する角度、すなわち上述した垂直面でのなす角φが約０°になるからである。
【手続補正７】
【補正対象書類名】明細書
【補正対象項目名】０１０９
【補正方法】変更
【補正の内容】
【０１０９】
このように構成された太陽電池モジュール６１では、反射板６２を受光面側保護部材１１の縦方向に分散して配置することにより、一枚あたりの反射板６２の高さを低くすることができる。これにより、太陽電池モジュール６１の下端部領域に反射光遮断部を設けて縦の大きさを拡大しなくても、太陽電池モジュール６１の縦の大きさの拡大を抑制しつつ、上述した反射板４２と同じ効果を得ることができる。本実施の形態４では、太陽電池モジュール１の表面に反射板６２を１１枚設置している。受光面側保護部材１１の縦方向における隣接する反射板６２の設置間隔ｇを１１．５ｃｍ、反射板６２の本体部６３の高さ方向の幅ｅを２ｃｍとした。三角溝３１の表面と本体部６３の間には、三角溝３１上への汚れの滞留防止のために、反射板６２の本体部６３の高さ方向の幅ｅと同じ高さである離間間隙ｆとして２ｃｍの間隙を設けている。
【手続補正８】
【補正対象書類名】明細書
【補正対象項目名】０１１０
【補正方法】変更
【補正の内容】
【０１１０】
太陽電池モジュール６１では、図２３に示すように、太陽電池モジュール６１の上方から反射板６２の本体部６３に入射する入射光Ｌ１１は、反射板６２の本体部６３で反射した反射光Ｌ１１１となって、太陽電池モジュール６１の上方に戻る。また、太陽電池モジュール６１の上方から入射して反射板６２の本体部６３の上方を通過する入射光Ｌ１２は、受光面側保護部材１１の表面の三角溝３１で反射した反射光Ｌ１２１となって、太陽電池モジュール６１の下方に進む。また、太陽電池モジュール６１の上方から入射して反射板６２の本体部６３の下方を通過する入射光Ｌ１３は、受光面側保護部材１１の表面の三角溝３１で反射した反射光Ｌ１３１となって、太陽電池モジュール６１の下方に進む。
【手続補正９】
【補正対象書類名】明細書
【補正対象項目名】０１１１
【補正方法】変更
【補正の内容】
【０１１１】
太陽電池モジュール６１を構成する上では、受光面側保護部材１１の上方から入射する、受光面側保護部材１１で反射させたい光の入射角度βと隣接する反射板６２の設置間隔ｇとにより反射板６２の本体部６３の高さ方向の幅ｅを決める。入射角度βは、受光面側保護部材１１の面方向と、受光面側保護部材１１の上方から受光面側保護部材１１に入射する光とのなす角である。ここで、ｅ＝（ｇ×ｔａｎβ）／２であり、反射板６２の本体部６３の高さ方向の幅ｅと同じ高さである離間間隙ｆも同様に決められる。この反射板６２の高さ位置、すなわち、反射板６２の上端位置において入射角度βで入射する光は全て反射板６２の本体部６３と太陽電池モジュール１の表面とを経由するようになる。本実施の形態４の場合、太陽電池モジュール６１の上方から約１０°の入射角度βで反射板６２に入射する光において成り立つように反射板６２の本体部６３の高さ方向の幅ｅを設定した。
【手続補正１０】
【補正対象書類名】明細書
【補正対象項目名】０１１６
【補正方法】変更
【補正の内容】
【０１１６】
本実施の形態４では、受光面側保護部材１１の縦方向において、反射板６２を地面側から１１．５ｃｍ間隔で１１枚設置している。なお、入射角度βが５°から１０°の範囲である場合には、受光面側保護部材１１の縦方向における上端部の反射板６２で反射された反射光を太陽電池セル３に入射させるためには、受光面側保護部材１１の縦方向において、最上位置の反射板６２の上部には隣接する反射板６２の配置間隔ｇの２倍の長さのゆとりが必要である。
【手続補正１１】
【補正対象書類名】明細書
【補正対象項目名】０１１９
【補正方法】変更
【補正の内容】
【０１１９】
１，４１，５１，６１  太陽電池モジュール、２  太陽電池ストリング、３  太陽電池セル、１１  受光面側保護部材、１２  裏面側保護部材、１３  封止材、１４  接続配線、２１  半導体基板、２２  受光面電極、２３  裏面電極、３１  三角溝、３２  第１の内壁、３３  第２の内壁、３４  平坦面、３５  光の進行方向を示すライン、４２  反射板、４３，６３  本体部、４４，６４  取り付け部、４５  開口部、５２  箱形反射光遮断部、５３，６２  反射板、ａ，ｂ  なす角、ｃ  再入射角度、ｄ  傾斜角度、ｅ  反射板の本体部の高さ方向の幅、ｆ  離間間隙、ｇ  隣接する反射板の設置間隔、ｋ  凹み角、ｒ  反射角度、Ｌ  光、Ｌｉ，Ｌ１１，Ｌ１２，Ｌ１３  入射光、Ｌｒ１，Ｌｒ２，Ｌ１１１，Ｌ１２１，Ｌ１３１  反射光、Ｒ  反射率、θ  面方向でのなす角、φ  垂直面でのなす角、Ｘ  三角溝の延在方向と直角に交わる軸。